(57)【特許請求の範囲】
【請求項１】
外壁と該外壁の屋内側に設けられた袖壁とからなり、前記外壁に開口形成された採光窓を介して採光される太陽からの光を、間接光として前記外壁に面した部分の屋内側に導入する間接採光用壁構造であって、
前記採光窓は、遮光用外壁を挟んでその両側に一対設けられ、前記袖壁は、前記遮光用外壁と離間し且つ前記遮光用外壁との重なり部分を保持しつつ、前記一対の採光窓を各々覆うようにして前記遮光用外壁の屋内側に一対突出配置され、前記遮光用外壁の両側の前記一対の採光窓を介して採光される太陽からの光を、前記一対の袖壁により各々反射させ、前記遮光用外壁によりさらに反射させて、前記遮光用外壁を背面壁とする部分の屋内側に両側から導入することを特徴する間接採光用壁構造。
【請求項２】
前記遮光用外壁は、出窓形式で外壁から外側に突出して配置され、前記採光窓は前記遮光用外壁に沿った面に形成されることを特徴とする請求項１記載の間接採光用壁構造。
【請求項３】
前記遮光用外壁は、出窓形式で外壁から外側に突出して配置され、前記採光窓は前記遮光用外壁と前記外壁との段差部分に形成されることを特徴とする請求項１記載の間接採光用壁構造。
【請求項４】
前記一対の袖壁の間の開口を開閉する引分け戸が設けられている請求項１〜３のいずれかに記載の間接採光用壁構造。
【請求項５】
床の間又は書院の壁構造として用いられる請求項１〜４のいずれかに記載の間接採光用壁構造。
【請求項６】
飾り棚の壁構造として用いられる請求項１〜４のいずれかに記載の間接採光用壁構造。
【発明の詳細な説明】
【０００１】
【発明の属する技術分野】
本発明は、外壁と該外壁の屋内側に設けられた袖壁とからなる間接採光用壁構造に関する。
【０００２】
【従来の技術及び発明が解決しようとする課題】
外壁の屋内側には、飾り棚、床の間、書院等の、背面側が壁となった陳列スペースが設けられ、この陳列スペースには インテリア製品や絵画、置き物、彫刻等の鑑賞用の装飾品が飾られると共に、屋内に重厚な雰囲気や落ち着いた雰囲気を付与している。外壁に形成した窓を介し てこれらの陳列スペースに太陽からの光を直接採光しようとすると、陳列スペースを見る住人や訪問者にとって逆光になりやすく、これらの装飾品を鑑賞し難く なると共に、光が強すぎることにより、装飾品の趣を十分に醸し出すことができなくなる。したがって、陳列スペースには、外壁に採光のための窓を形成するこ となく、人工の照明設備を介して明るさを得る方法が一般的に採用されている。
【０００３】
しかしながら、窓を介することなく人工の照明設備からの光によって陳列スペースの明るさを得る場合、閉鎖的な雰囲気になると共に、屋内への十分な通風を得ることができない場合がある。また昼間から照明を点灯する必要を生じて不経済になると共に、必要な時にのみ、その都度照明のスイッチを入れたり切ったりする操作が煩わしい場合がある。
【０００４】
一方、例えば階段の踊り場等の通路や、居間、寝室等の個室においては、外壁に開口形成された窓から太陽からの光を直接採光すると、太陽の位置によっては、直接採光された光によって足下や目元が眩しくなり、かえって人の歩行を妨げたり、室内における安らぎ感を損なう要因になる。
【０００５】
本発明は、このような従来の課題に着目してなされたもので、外壁に形成した窓から柔らかい光で採光することを可能にして、陳列スペースの装飾品を鑑賞し易くすることができ、また屋内空間における人の歩行を妨げたり安らぎ感を損なうのを効果的に回避することのできる間接採光用壁構造を提供することを目的とする。
【０００６】
【課題を解決するための手段】
本発明は、外壁と該外壁の屋内側に設けられた袖壁とからなり、前記外壁に開口形成された採光窓を介して採光される太陽からの光を、間接光として前記外壁に面した部分の屋内側に導入する間接採光用壁構造であって、前記採光窓は、遮光用外壁を挟んでその両側に一対設けられ、前記袖壁は、前記遮光用外壁と離間し且つ前記遮光用外壁との重なり部分を保持しつつ、前記一対の採光窓を各々覆うようにして前記遮光用外壁の屋内側に一対突出配置され、前記遮光用外壁の両側の前記一対の採光窓を介して採光される太陽からの光を、前記一対の袖壁により各々反射させ、前記遮光用外壁によりさらに反射させて、前記遮光用外壁を背面壁とする部分の屋内側に両側から導入することを特徴する間接採光用壁構造を提供することにより、上記目的を達成したものである（請求項１記載の発明）。
【０００８】
また、本発明の間接採光用壁構造は、前記遮光用外壁を、出窓形式で外壁から外側に突出して配置し、前記採光窓を前記遮光用外壁に沿った面に形成することがことが好ましい（請求項２記載の発明）。
【０００９】
さらに、本発明の間接採光用壁構造は、前記遮光用外壁を、出窓形式で外壁から外側に突出して配置し、前記採光窓を前記遮光用外壁と前記外壁との段差部分に形成することが好ましい（請求項３記載の発明）。
【００１０】
さらにまた、本発明の間接採光用壁構造は、前記一対の袖壁の間の開口を開閉する引分け戸を設けることがことが好ましい（請求項４記載の発明）。
【００１１】
そして、本発明の間接採光用壁構造は、床の間又は書院の壁構造として用いることもできる（請求項５記載の発明）。
【００１２】
また、本発明の間接採光用壁構造は、飾り棚の壁構造として用いても良い（請求項６記載の発明）。
【００１３】
【発明の実施の形態】
本発明の好ましい実施形態を添付図面を参照しつつ詳細に説明する。本発明の第１実施形態に係る間接採光用壁構造１０は、図１に示すように、住宅建築物の屋内における玄関ホールを挟んだ玄関の正面に設けられる陳列スペースとしての飾り棚１１を構成する壁構造として採用されたものである。そして、本第１実施形態の間接採光用壁構造１０は、外壁１２の延長上に配設されて外壁１２の一部をなす遮光用外壁１３と、この遮光用外壁１３の屋内側に設けられた袖壁１４とからなり、外壁１２に開口形成された採光窓１５を介して採光される太陽からの光を袖壁１４により反射させ、遮光用外壁１３の内側面（屋内側の面）によりさらに反射させて屋内に導入するものである。
【００１４】
また、本第１実施形態によれば、図２（ａ）及び（ｂ）にも示すように、採光窓１５は、遮光用外壁１３を挟んでその両側に一対設けられ、袖壁１４は、遮光用外壁１３と離間し且つ遮光用外壁１３との重なり部分１６を保持しつつ、一対の採光窓１５を各々覆うようにして、遮光用外壁１３の屋内側において玄関ホールの両側の仕切壁１７から各々内側に突出して一対配置されている。
【００１５】
飾り棚１１は、玄関ホールの突当たり部において、外壁１２としての遮光用外壁１３と、玄関ホールの両側の仕切壁１７と、一対の袖壁１４とによって区画されるスペースに設けられ、床面２３から７５ｃｍ程度の高さに陳列台１８を備えている。この陳列台１８の上には、インテリア製品や置き物、彫刻等の装飾品が載置される。飾り棚１１の上部正面側には、玄関ホールの天井面２１から下方に延設された垂れ壁１９が設けられていると共に、飾り棚１１の天井部には、垂れ壁１９によって正面側を覆い隠されるようにしてダウンライト２０が設けられている。採光窓１５から太陽からの光を取り入れることのできない例えば夜間等においては、このダウンライト２０による照明によって、飾り棚１１を照らす光を得ることができる。なお、陳列台１８の下方は適宜収納スペース等として利用される。
【００１６】
遮光用外壁１３は、飾り棚１１の陳列棚１８と天井部との間の高さ領域において、一対の採光窓１５により両側を挟まれた中央部分に、飾り棚１１の背面壁として設けられる。この遮光用外壁１３は、例えば１５０ｃｍ程度の幅を有し、その屋内側の面には、絵画等の装飾品が適宜取り付けられる。
【００１７】
遮光用外壁１３の両側に開口形成された一対の採光窓１５は、例えば３０ｃｍ程度の幅を有し、遮光用外壁１３を挟んで対称に設けられる。採光窓１５には、透明なガラスが取り付けられた開き戸形式の開閉枠２２が設けられおり、この開閉枠２２を開放することにより、屋内への十分な通風を容易に得ることができる。
【００１８】
遮光用外壁１３の屋内側に設けられる一対の袖壁１４は、飾り棚１１の陳列棚１８と垂れ壁１９との間の高さ領域において、陳列棚１８の屋内側端部から立設することにより、遮光用外壁１３と例えば３０ｃｍ程度離間して設けられている。また袖壁１４は、玄関ホールの両側の仕切壁１７から内側に各々突出して遮光用外壁１３と平行に例えば４５ｃｍ程度の巾で設けられており、これによって遮光用外壁１３と袖壁１４との間に、当該遮光用外壁１３及び袖壁１４と垂直な方向から見て例えば１３ｃｍ程度の重なり部分１６を保持している。
【００１９】
また、本第１実施形態によれば、袖壁１４の裏面（屋外側の面）には、例えば白色や銀色の仕上材等による表面処理が施されており、これによって、採光窓１５を介して屋内に導入される太陽からの光を屋外側に反射させ易いようになっている。
【００２０】
なお、本発明によれば、袖壁と遮光用外壁との重なり部分は、上述のように、これらと垂直な方向から見た場合の重なり部分を意味する。またこの重なり部分の巾は、袖壁と遮光用外壁との離間長さや間接採光用壁構造の向き等に基づいて適宜設計することができるが、例えば１０〜１５ｃｍとすることが好ましい。重なり部分が大き過ぎると飾り棚の幅が小さくなったり、採光窓の開閉がしにくくなるという欠点かあり、小さ過ぎると太陽からの光が直接目に入って眩しくなりやすいという欠点がある。
【００２１】
そして、本第１実施形態の間接採光用壁構造１０によれば、外壁１２に形成した採光窓１５から柔らかい光を採光することを可能にして、飾り棚１１に置かれた装飾品を鑑賞し易くすることができる。即ち、本実施形態によれば、採光窓１５を介して採光される太陽からの光を袖壁１４により反射させ、遮光用外壁１３の内側面によりさらに反射させて、間接光として屋内に導入することができるので、このような間接光によって飾り棚１１に柔らかい雰囲気を付与することができると共に、逆光を効果的に排除して飾り棚１１の装飾品を見やすくすることができる。また、このような間接採光によって飾り棚１１に置かれた装飾品の変色を防止することもできる。さらに、太陽光を採光できる昼間は、人工照明を使用することなく十分な光を飾り棚１１に導入することができると共に、自然の採光により季節の移り変わりに伴った光の変化を楽しむことも可能になる。
【００２２】
図３は、本発明の第２実施形態に係る間接採光用壁構造２４を示すものである。本第２実施形態の間接採光用壁構造２４によれば、飾り棚２５の陳列棚２６より上方部分は外壁２７の外側に張り出して設置され、飾り棚２５の背面壁として設けられる遮光用外壁２８は、出窓形式で外壁２７から例えば４０ｃｍ程度外側に位置して、例えば２４０ｃｍ程度の巾で配置される。また、採光窓２９は、突出配置された遮光用外壁２８の両端部の外壁２７との段差部分に、これらに対して垂直方向に開口して例えば３０ｃｍ程度の巾で一対形成される。こららの採光窓２９には、透明なガラスが取り付けられた開き戸形式の開閉枠３０が各々開閉可能に設けられている。
【００２３】
また、本第２実施形態によれば、遮光用外壁２８の屋内側に設けられる一対の袖壁３１は、玄関ホールの両側の仕切壁３２における外壁２７との接合部分から内側に各々突出して、遮光用外壁２８と平行に例えば３０ｃｍ程度の巾で設けられており、袖壁３１の全体が遮光用外壁２８との重なり部分となって配置されている。
【００２４】
そして、本第２実施形態の間接採光用壁構造２４によれば、採光窓２９を介して採光される太陽からの光を袖壁３１により反射させ、遮光用外壁２８の内側面によりさらに反射させて、間接光として屋内に導入することができるので、このような間接採光によって、上記第１実施形態の間接採光用壁構造１０と略同様の作用効果を得ることができる。
【００２５】
図４は、本発明の第３実施形態に係る間接採光用壁構造３３を示すものである。本第３実施形態の間接採光用壁構造３３は、寝室に設けられる通常のガラス窓に代えて、間接光を寝室内に取り入れる機能を兼ね備えた飾り棚３４を設けるための壁構造として採用されたものである。そして、本第３実施形態によれば、飾り棚３４は外壁３５の外側に張り出して設置され、飾り棚３４の背面壁となる遮光用外壁３６は、出窓形式で外壁３５から例えば４５ｃｍ程度外側に位置して、例えば１２０ｃｍ程度の巾で配置される。また、採光窓３８は、突出配置された遮光用外壁３６に沿った面の両側に開口して、飾り棚３４の側方外壁３９との間に、例えば４５ｃｍ程度の巾で一対形成される。ここで、飾り棚３４の側方外壁３９は、外壁３５の外側に張り出して設置される飾り棚３４の側面を覆うようにして、外壁３５の外側に垂直に突出して設けられる壁体である。なお、採光窓３８には、透明なガラスが取り付けられた開き戸形式の開閉枠４０が開閉可能に設けられている。また、この飾り棚３４には、必要に応じてインテリア製品等を装飾品として配設することができる。
【００２６】
本第３実施形態によれば、遮光用外壁３６の屋内側に設けられる一対の袖壁４１は、外壁３５と側方外壁３９との接合部分から内側に各々突出して遮光用外壁３６と平行に例えば６０ｃｍ程度の巾で設けられており、その先端の例えば１３ｃｍ程度の部分が遮光用外壁３６と重なった重なり部分３７となっている。さらに、本第３実施形態によれば、一対の袖壁４１の間の開口を開閉する遮光戸や障子からなる引分け戸４２が、袖壁４１に沿ってスライド可能に設けられている。
【００２７】
そして、本第３実施形態の間接採光用壁構造３３によれば、採光窓３８を介して採光される太陽からの光を袖壁４１により反射させ、遮光用外壁３６の内側面によりさらに反射させて、間接光として寝室に導入することができるので、このような間接採光によって、上記第１実施形態の間接採光用壁構造１０と略同様の作用効果を得ることができる。また、本第３実施形態によれば、間接光として光が寝室に導入されるので、寝室で安らぐ人が太陽光により眩しさを感じるのを効果的に回避することができる。さらに、袖壁４１の間の開口を開閉する遮光戸や障子からなる引分け戸４２が設けられていることにより、寝室の雰囲気をさらに向上させることができると共に、太陽からの光を遮断して昼間でも安眠できるようにすることが可能になる。
【００２８】
図５は、本発明の第４実施形態に係る間接採光用壁構造４３を示すものである。本第４実施形態の間接採光用壁構造４３は、階段の踊り場に設けられる通常のガラス窓に代えて、間接光を踊り場内に取り入れる機能を兼ね備えた飾り棚４４を設けるための壁構造として採用されたものである。そして、本第４実施形態によれば、飾り棚４４は外壁４５の外側に張り出して設置され、飾り棚４４の背面壁として設けられる遮光用外壁４６は、出窓形式で外壁４５から例えば４０ｃｍ程度外側に位置して、例えば１５０ｃｍ程度の巾で配置される。また、採光窓４８は、突出配置された遮光用外壁４６に沿った面の両側に開口して、飾り棚４４の側方外壁４９との間に、例えば３０ｃｍ程度の巾で一対形成される。ここで、飾り棚４４の側方外壁４９は、外壁４５の外側に張り出して設置される飾り棚４４の側面を覆うようにして、外壁４５の外側に垂直に突出して設けられる壁体である。なお、採光窓４８には、透明なガラスが取り付けられた開き戸形式の開閉枠５０が開閉可能に設けられている。また、この飾り棚４４には、必要に応じてインテリア製品等を装飾品として配設することができる。
【００２９】
本第４実施形態によれば、遮光用外壁４６の屋内側に設けられる一対の袖壁５１は、外壁４５と側方外壁４９との接合部分から内側に各々突出して、遮光用外壁４６と平行に例えば４５ｃｍ程度の巾で設けられており、その先端の例えば１３ｃｍ程度の部分が遮光用外壁４６と重なった重なり部分４７となっている。
【００３０】
そして、本第４実施形態の間接採光用壁構造４３によれば、採光窓４８を介して採光される太陽からの光を袖壁５１により反射させ、遮光用外壁４６の内側面によりさらに反射させて、間接光として階段の踊り場に導入することができるので、このような間接採光によって、上記第１実施形態の間接採光用壁構造１０と略同様の作用効果を得ることができる。また、本第４実施形態によれば、間接光として太陽からの光が踊り場に導入されるので、当該踊り場を通過する人の足下や目元を太陽光によって眩しく照らすことがなく、したがって人の歩行を妨げることになるのを効果的に回避することができる。
【００３１】
図６は、本発明の第５実施形態に係る間接採光用壁構造５２及び本発明の第６実施形態に係る間接採光用壁構造５３を示すものである。即ち、第５実施形態に係る間接採光用壁構造５２は、和室に床の間５４を設けるための壁構造として採用されたものであり、第６実施形態に係る間接採光用壁構造５３は、和室に書院５５を設けるための壁構造として採用されたものである。
【００３２】
本発明の第５実施形態に係る間接採光用壁構造５２によれば、床の間５４の背面壁として設けられる遮光用外壁５６は、外壁５７の延長上に例えば１５０ｃｍ程度の巾で配置される。また採光窓５８は、遮光用外壁５６に沿った面の両側に開口して例えば３０ｃｍ程度の巾で一対形成される。なお、採光窓５８には、透明なガラスが固定状態で取り付けられている。
【００３３】
また、本第５実施形態によれば、遮光用外壁５６の屋内側に設けられる一対の袖壁５９は、床の間５４の側壁面６０から内側に各々突出して遮光用外壁５６と平行に例えば４５ｃｍ程度の巾で設けられており、その先端の例えば１３ｃｍ程度の部分が遮光用外壁５６と重なった重なり部分６１となっている。なお、一対の袖壁５９のうち押入側に位置する袖壁５９の先端には室内側にさらに垂直に折れ曲がって折れ曲がり壁６２が接合しており、この折れ曲がり壁６２、袖壁５９、及び側壁面６０は、押入との仕切壁を兼ねている。
【００３４】
そして、本第５実施形態の間接採光用壁構造５２によれば、採光窓５８を介して採光される太陽からの光を袖壁５９により反射させ、遮光用外壁５６の内側面によりさらに反射させて、間接光として床の間５４及び和室に導入することができるので、このような間接採光によって、より重厚で落ち着いた雰囲気を床の間５４及び和室に付与することができる。
【００３５】
本発明の第６実施形態に係る間接採光用壁構造５３によれば、書院５５は、外壁６３の外側に張り出して設置され、書院５５の背面壁として設けられる遮光用外壁６４は、出窓形式で外壁６３から例えば４０ｃｍ程度外側に位置して、例えば１７０ｃｍ程度の巾で配置される。また、採光窓６５は、突出配置された遮光用外壁６４に沿った面の両側に開口して、書院５５の側方外壁６６との間に例えば４５ｃｍ程度の巾で一対形成される。ここで、書院５５の側方外壁６６は、外壁６３の外側に張り出して設置される書院５５の側面を覆うようにして外壁６３の外側に垂直に突出して設けられる壁体である。なお、採光窓６５には、透明なガラスが取り付けられた開き戸形式の開閉枠６７が開閉可能に設けられている。また、採光窓６５の内側には、内障子６８が遮光用外壁６４に沿ってスライド可能に設けられる。
【００３６】
また、本第６実施形態によれば、遮光用外壁６４の屋内側に設けられる一対の袖壁６９は、外壁６３と側方外壁６６との接合部分から内側に各々突出して遮光用外壁６４と平行に例えば６０ｃｍ程度の巾で設けられており、その先端の例えば１３ｃｍ程度の部分が遮光用外壁６４と重なった重なり部分７０となっている。
【００３７】
そして、本第６実施形態の間接採光用壁構造５３によれば、採光窓６５を介して採光される太陽からの光を袖壁６９により反射させ、遮光用外壁６４の内側面によりさらに反射させて、間接光として書院５５及び和室に導入することができるので、このような間接採光によって、より重厚で落ち着いた雰囲気を書院５５及び和室和室に付与することができる。また、内障子６８を閉じることにより、さらに重厚な雰囲気を書院５５に醸し出すことができる。
【００４０】
なお、本発明は上記各実施形態に限定されることなく種々の変更が可能である。例えば、本発明の間接採光用壁構造は、飾り棚や床の間、書院に限定されることなく、屋内に太陽からの光を間接光として導入するのに適した、建築物の外壁に面した任意の場所に設けることができる。また、本発明の間接採光用壁構造は、床面から天井面までの階高の全長に亘る壁構造として設けても良く、階高の一部を構成する壁構造として設けても良い。
【００４１】
【発明の効果】
以上詳細に説明したように、本発明の間接採光用壁構造によれば、遮光用外壁を背面壁とする部分に、太陽からの光を柔らかい間接光として両側から導入して、当該遮光用外壁を背面壁とする部分を、自然光を利用した趣のある飾り棚等の陳列スペースや床の間、書院等として、有効に利用することができる。
【図面の簡単な説明】
【図１】  本発明の第１実施形態に係る間接採光用壁構造が設けられた住宅建築物の間取りを示す略示平面図である。
【図２】  （ａ）は本発明の第１実施形態に係る間接採光用壁構造の構成を示す平面図、（ｂ）は（ａ）のＡ−Ａに沿った断面図である。
【図３】  本発明の第２実施形態に係る間接採光用壁構造の構成を示す平面図である。
【図４】  本発明の第３実施形態に係る間接採光用壁構造の構成を示す平面図である。
【図５】  本発明の第４実施形態に係る間接採光用壁構造の構成を示す平面図である。
【図６】  本発明の第５実施形態及び第６実施形態に係る間接採光用壁構造の構成を示す平面図である。
【符号の説明】
１０，２４，３３，４３，５２，５３，６４  間接採光用壁構造
１１，２５，３４，４４  飾り棚
１２，２７，３５，４５，５７，６３  外壁
１３，２８，３６，４６，５６  遮光用外壁
１４，３１，４１，５１，５９，６９  袖壁
１５，２９，３８，４８，５８，６５  採光窓
１６，３７，４７，６１  重なり部分
１７，３２  仕切壁
２２，３０，５０，６７  開閉枠
３９，４９，６６  側方外壁
４２  引分け戸
５４  床の間
５５  書院
６８  内障子
【図１】
0004459460.tif 000002
【図２】
0004459460.tif 000003
【図３】
0004459460.tif 000004
【図４】
0004459460.tif 000005
【図５】
0004459460.tif 000006
【図６】
0004459460.tif 000007